【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
画像形成装置であって、
画像を形成する画像形成手段と、
第１の画像が形成された原稿を読み取る読取手段と、
前記原稿を前記読取手段へ搬送し、その後に該原稿を前記画像形成手段へ搬送する搬送手段と、
前記読取手段によって読み取られた読み取り結果に基づき、前記原稿に形成された前記第１の画像に関する情報を特定する特定手段と、
前記特定された前記第１の画像に関する前記情報に基づき、前記第１の画像のフォームに従って第２の画像を決定する決定手段と、を備え、
前記画像形成手段は、前記第１の画像が第１のフォームである場合は、第２のフォームの前記第２の画像を前記原稿に上書きし、前記第１の画像が前記第１のフォームと異なる第３のフォームである場合は、前記第２のフォームとは異なる第４のフォームの前記第２の画像を前記原稿に上書きする
ことを特徴とする画像形成装置。
【請求項２】
前記特定手段は、前記特定した第１の画像に関する前記情報として前記原稿のフォームを特定することを特徴とする請求項１に記載の画像形成装置。
【請求項３】
複数のフォームの複数のテンプレートを記憶する記憶手段をさらに備え、
前記特定手段は、
前記複数のテンプレートのうち、類似度が最も高いテンプレートを前記原稿のフォームとして特定することを特徴とする請求項２に記載の画像形成装置。
【請求項４】
前記特定手段は、
前記読取手段によって読み取られた前記第１の画像と、前記テンプレートの画像との差分を前記類似度として取得し、
前記取得した前記差分が最も小さいテンプレートを類似度の最も高いテンプレートと判断することを特徴とする請求項３に記載の画像形成装置。
【請求項５】
前記特定手段は、前記原稿に形成されている前記第１の画像の画素の濃度レベルと、対応する前記テンプレートの画素の濃度レベルとを比較して、濃度レベルが所定の閾値以上異なる画素を、差分のある画素として特定し、差分のある画素数が最も少ないテンプレートを前記差分が最も小さいテンプレートと判断することを特徴とする請求項４に記載の画像形成装置。
【請求項６】
前記特定手段は、前記読取手段によって読み取られた前記第１の画像から、前記原稿の所定の領域に画像があるか否かをさらに特定し、
前記決定手段は、前記特定手段によって特定されたフォームと、前記原稿の所定の領域に画像があるか否かの特定結果とに基づいて、前記第２の画像を決定することを特徴とする請求項１乃至５の何れか１項に記載の画像形成装置。
【請求項７】
前記特定手段は、前記読取手段によって読み取られた前記第１の画像から、フォーム及び文字を特定し、
前記決定手段は、前記特定手段によって特定されたフォームと、前記特定された文字とに基づいて、前記第２の画像を決定することを特徴とする請求項１乃至５の何れか１項に記載の画像形成装置。
【請求項８】
前記第１の画像は、ユーザによって前記原稿に記載された画像であることを特徴とする請求項１乃至７の何れか１項に記載の画像形成装置。
【請求項９】
前記原稿には、該原稿のフォームを示すフォーム情報が形成されており、
前記特定手段は、前記読取手段によって読み取られた前記第１の画像から、前記フォーム情報を取得し、前記取得したフォーム情報に基づき前記原稿の前記フォームを特定することを特徴とする請求項１に記載の画像形成装置。
【請求項１０】
前記フォーム情報は、二次元バーコードで形成されていることを特徴とする請求項９に記載の画像形成装置。
【請求項１１】
前記読取手段、前記特定手段、前記決定手段、及び前記画像形成手段の処理が繰り返し実行されることによって、前記原稿が完成することを特徴とする請求項１乃至１０の何れか１項に記載の画像形成装置。
【請求項１２】
前記原稿は、所定機関への申請書であることを特徴とする請求項１乃至１１の何れか１項に記載の画像形成装置。
【請求項１３】
前記画像形成手段によって１回に形成される前記第２の画像は、前記申請書の１つの情報に関連する項目を記載するための記載欄であることを特徴とする請求項１２に記載の画像形成装置。
【請求項１４】
画像形成装置であって、
第１の画像が形成された原稿を読み取る読取手段と、
前記原稿に画像を形成する画像形成手段と、を備え、
前記読取手段によって読み取られた読み取り結果に基づき、前記原稿に形成された前記第１の画像に関する情報が特定され、
前記第１の画像に関する前記情報に基づき、前記第１の画像のフォームに従って第２の画像が決定され、
前記画像形成手段は、前記第１の画像が第１のフォームである場合は、第２のフォームの前記第２の画像を前記原稿に上書きし、前記第１の画像が前記第１のフォームと異なる第３のフォームである場合は、前記第２のフォームとは異なる第４のフォームの前記第２の画像を前記原稿に上書きすることを特徴とする画像形成装置。
【請求項１５】
前記原稿のフォームは、前記特定した第１の画像に関する前記情報として特定されることを特徴とする請求項１４に記載の画像形成装置。
【請求項１６】
複数のテンプレートのうち、類似度が最も高いテンプレートが前記原稿のフォームとして特定されることを特徴とする請求項１４に記載の画像形成装置。
【請求項１７】
画像形成を実行する画像形成装置を含む画像形成システムであって、
画像を形成する画像形成手段と、
第１の画像が形成された原稿を読み取る読取手段と、
前記読取手段によって読み取られた読み取り結果に基づき、前記原稿に形成された前記第１の画像に関する情報を特定する特定手段と、
前記特定された第１の画像に関する前記情報に基づき、前記第１の画像のフォームに従って決定される第２の画像を決定する決定手段と、を備え、
前記画像形成手段は、前記第１の画像が第１のフォームである場合は、第２のフォームの前記第２の画像を前記原稿に上書きし、前記第１の画像が前記第１のフォームと異なる第３のフォームである場合は、前記第２のフォームとは異なる第４のフォームの前記第２の画像を前記原稿に上書きすることを特徴とする画像形成装置。
【手続補正２】
【補正対象書類名】明細書
【補正対象項目名】０００６
【補正方法】変更
【補正の内容】
【０００６】
本発明は、画像形成装置であって、画像を形成する画像形成手段と、第１の画像が形成された原稿を読み取る読取手段と、前記原稿を前記読取手段へ搬送し、その後に該原稿を前記画像形成手段へ搬送する搬送手段と、前記読取手段によって読み取られた読み取り結果に基づき、前記原稿に形成された前記第１の画像に関する情報を特定する特定手段と、前記特定された前記第１の画像に関する前記情報に基づき、前記第１の画像のフォームに従って第２の画像を決定する決定手段と、を備え、前記画像形成手段は、前記第１の画像が第１のフォームである場合は、第２のフォームの前記第２の画像を前記原稿に上書きし、前記第１の画像が前記第１のフォームと異なる第３のフォームである場合は、前記第２のフォームとは異なる第４のフォームの前記第２の画像を前記原稿に上書きすることを特徴とする。また、本発明は、画像形成装置であって、第１の画像が形成された原稿を読み取る読取手段と、前記原稿に画像を形成する画像形成手段と、を備え、前記読取手段によって読み取られた読み取り結果に基づき、前記原稿に形成された前記第１の画像に関する情報が特定され、前記第１の画像に関する前記情報に基づき、前記第１の画像のフォームに従って第２の画像が決定され、前記画像形成手段は、前記第１の画像が第１のフォームである場合は、第２のフォームの前記第２の画像を前記原稿に上書きし、前記第１の画像が前記第１のフォームと異なる第３のフォームである場合は、前記第２のフォームとは異なる第４のフォームの前記第２の画像を前記原稿に上書きすることを特徴とする。